(57)【特許請求の範囲】
【請求項１】
電子線を発する電子線源と、
所定の情報信号に基づいて電圧を生成する電圧制御部と、
電圧制御部が生成した前記電圧に応じて前記電子線を偏向する制御電極と、
前記電子線を通過させる通過位置としてのスリットを有する遮蔽板と、
レジスト原盤が載置され、前記レジスト原盤を回転させるターンテーブルとを有する電子線記録装置であって、
前記遮蔽板は、前記遮蔽位置を規定する第１の遮蔽部及び第２の遮蔽位置を有し、前記通過位置を挟むようにして、前記第１の遮蔽部と前記第２の遮蔽部が対向するように配置されており、
前記電圧制御部は、前記制御電極に印加する前記電圧を制御して、前記遮蔽板を含む平面上での電子線の位置が前記第１の遮蔽部上の第１の遮蔽位置から前記通過位置へ移動する時の前記遮蔽板に対する第１の速度と、前記通過位置から前記第２の遮蔽部上の第２の遮蔽位置へ移動する時の前記遮蔽板に対する第２の速度とを等しくする、ことを特徴とする電子線記録装置。
【請求項２】
電圧制御部は、ターンテーブルから前記レジスト原盤の回転速度に関する情報を受け取って、前記レジスト原盤の線速度を取得し、前記線速度を前記第１の速度から減算して得られる第１の相対速度と、前記線速度を前記第２の速度から減算して得られる第２の相対速度とを等しくする、ことを特徴とする請求項１に記載の電子線記録装置。
【請求項３】
前記遮蔽板を含む平面上での電子線の位置を、前記第１の遮蔽位置から前記通過位置へ移動させる時の方向と、前記第２の遮蔽位置から前記通過位置へ移動させる時の方向とは、同じ方向である、請求項１または２に記載の電子線記録装置。
【請求項４】
前記制御電極は、前記電子線を、第１の方向に偏向する第１の電極と、前記電子線を前記第１の方向と垂直な第２の方向に偏向する第２の電極とからなり、
前記電圧制御部は、前記第１の電極および前記第２の電極に印加する各電圧を制御して、前記第２の遮蔽位置から前記電子線を、遮蔽板上の前記通過位置を経ることなく、前記第１の遮蔽位置まで偏向させて移動させる、ことを特徴とする請求項１ないし３のいずれかに記載の電子線記録装置。
【請求項５】
前記第１の速度と前記第２の速度は、前記レジスト原盤の記録接線方向と平行である、ことを特徴とする請求項１ないし４のいずれかに記載の電子線記録装置。
【請求項６】
前記遮蔽板は、前記第１の遮蔽部と前記第２の遮蔽部とを接続する第３の遮蔽部をさらに有し、前記第２の遮蔽位置から前記第１の遮蔽位置まで、前記第３の遮蔽部を介して、前記電子線を偏向させて移動させることを特徴とする、請求項１ないし５のいずれかに記載の電子線記録装置。
【請求項７】
遮蔽板の前記スリットの幅は、前記電子線の直径と等しい、ことを特徴とする請求項１ないし６のいずれかに記載の電子線記録装置。
【請求項８】
前記制御電極は、前記電圧制御部が生成した前記電圧に応じて、前記遮蔽板の前記第１の遮蔽部、前記第２の遮蔽部、および、前記通過位置上で、前記電子線を任意の方向に偏向する、ことを特徴とする請求項１ないし７のいずれかに記載の電子線記録装置。
【請求項９】
電子線を発する電子線源と、
所定の情報信号に基づいて電圧を生成する電圧制御部と、
電圧制御部が生成した前記電圧に応じて前記電子線を偏向する制御電極と、
前記電子線を通過させる通過位置としてのスリットを有する遮蔽板と、
レジスト原盤が載置され、前記レジスト原盤を回転させるターンテーブルとを有する電子線記録装置における電子線記録方法であって、
前記遮蔽板は、前記遮蔽位置を規定する第１の遮蔽部及び第２の遮蔽位置を有し、前記通過位置を挟むようにして、前記第１の遮蔽部と前記第２の遮蔽部が対向するように配置されており、
前記電子線記録方法は、
前記電子線を偏向して、前記電子線を、第１の遮蔽位置から前記通過位置へ、第１の速度で移動させるステップと、
前記電子線を、前記通過位置を介して前記レジスト原盤に照射するステップと、
前記電子線を偏向して、前記電子線を、前記通過位置から、前記第２の遮蔽部上の第２の遮蔽位置へ、前記遮蔽板を含む平面上での電子線の位置が前記第１の遮蔽部上の第１の遮蔽位置から前記通過位置へ移動する時の前記遮蔽板に対する第１の速度と等しい第２の速度で移動させるステップと
を有する、電子線記録方法。
【請求項１０】
前記第２の速度で移動させるステップは、
ターンテーブルから前記レジスト原盤の回転速度に関する情報を受け取って、前記レジスト原盤の線速度を取得するステップと、
前記線速度を前記第２の速度から減算して得られる第２の相対速度を、前記線速度を前記第１の速度から減算して得られる第１の相対速度とを等しくするステップと
をさらに含む、請求項９に記載の電子線記録方法。
【請求項１１】
前記遮蔽板を含む平面上での電子線の位置を、前記第１の遮蔽位置から前記通過位置へ移動させる時の方向と、前記第２の遮蔽位置から前記通過位置へ移動させる時の方向とは、同じ方向である、ことを特徴とする請求項９または１０に記載の電子線記録方法。
【請求項１２】
前記制御電極は、前記電子線を、第１の方向に偏向する第１の電極と、前記電子線を前記第１の方向と垂直な第２の方向に偏向する第２の電極とからなり、
前記第１の電極および前記第２の電極に印加する各電圧を制御して、前記第２の遮蔽位置から前記電子線を遮蔽板上の前記通過位置を経ることなく、前記第１の遮蔽位置まで偏向させて移動させるステップをさらに有する、ことを特徴とする請求項９ないし１１のいずれかに記載の電子線記録方法。
【請求項１３】
前記第１の速度と前記第２の速度は、前記レジスト原盤の記録接線方向と平行である、ことを特徴とする請求項９ないし１２のいずれかに記載の電子線記録方法。
【請求項１４】
前記電圧制御部が生成した前記電圧に応じて、前記遮蔽板の前記第１の遮蔽部、前記第２の遮蔽部、および、前記通過位置上で、前記電子線を任意の方向に偏向するステップをさらに含む、ことを特徴とする請求項９ないし１３のいずれかに記載の電子線制御方法。
【発明の詳細な説明】
【０００１】
【発明の属する技術分野】
本発明は、光ディスクの原盤を製造する技術に関する。より具体的には、本発明は、電子線を使用して高密度光ディスクの原盤を製造する技術に関する。
【０００２】
【従来の技術】
電子線記録装置（Electron Beam Recorder）は、感光剤（レジスト）が塗布された原盤上に、電子線を絞込み、照射させ、任意の信号パターンを露光記録する装置である。信号パターンが露光されたレジスト原盤を現像すると、信号ピット、あるいは記録再生時のトラッキング用の案内溝等の凹凸形状が形成されたディスク原盤を得ることができる。
【０００３】
図１０は、従来の電子線記録装置９００の構成を示す概略図である。電子線記録装置９００は、電子線を放出する電子線源９０１と、電子線源９０１から放出された電子線を加速する加速電極９０２と、加速された電子線９１２を収束させる電子線用レンズ９０３と、任意の情報信号に応じて電子線９１２の進行方向を変更する電極９０４とを有する。任意の情報信号が電圧制御部（図示せず）に与えられると、電圧制御部は電極９０４に電圧を印加して、電子線を偏向する。電子線記録装置９００はさらに、電子線を偏向した場合に、レジスト原盤９０７への電子線の照射を遮蔽する遮蔽板９０５と、レジスト原盤９０７上に電子線を収束させる電子線用レンズ９０６と、レジストが塗布されたレジスト原盤９０７と、レジスト原盤９０７を回転させるターンテーブル９０８と、回転するターンテーブル９０８を、レジスト原盤９０７の径方向にスライドさせるスライダ９０９とを有する。電子線記録装置９００の各構成要素は、真空中に配置されている。電子線記録装置９００は、ターンテーブル９０８を回転させつつ、スライダ９０９でレジスト原盤９０７を径方向にスライドさせ、円形のレジスト原盤の内周側から外周側に向かって、あるいは外周側から内周側に向かって、信号パターンをスパイラル状に露光（記録）する。
【０００４】
図１１は、電子線源９０１（図１０）側から見た、遮蔽板９０５と電子線との位置関係を示す図である。図には、レジスト原盤９０７もあわせて示す。電極９０４（図１０）に電圧が印加されていない場合には、電子線は、位置９２１を通過する。よって、レジスト原盤９０７に電子線が照射される。レジスト原盤９０７は、矢印９２３の向きに回転しているので、電子線が照射されている間は、いわゆるピット等が形成される。電極９０４（図１０）に所定の電圧が印加された場合には、電子線は、記録接線方向の経路９２０に沿って遮蔽板９０５により遮られる方向へ移動し、位置９２２にいたる。これにより、レジスト原盤９０７には、ピットでない領域、いわゆるスペースが形成される。経路９２０に沿って、電子線を位置９２１または９２２に移動させることにより、レジスト原盤９０７に所望のパターンが形成される。なお遮蔽板９０５の端面は、電子線が位置９２１を通過する際に、電子線に接するように配置されている。
【０００５】
図１２の（ａ）〜（ｃ）は、所定の情報信号から、所望のピットパターンを記録する具体例を説明する図である。図１２の（ａ）は、電圧が高レベルのとき、記録マークを形成し、低レベルのときピット間のスペースを形成する信号である。電子線記録装置９００（図１０）の図示されない電圧制御部は、図１２の（ａ）に示す信号から、図１２の（ｂ）に示す変調信号を生成する。電圧制御部が変調信号を電極９０４（図１０）に入力すると、電子線は信号に応じて記録接線方向に曲げられる。具体的には、変調信号が０Ｖのとき電子線は曲げられることなくレジスト原盤９０７に照射され、変調信号がマイナス電圧になるにしたがって、電子線は遮蔽板９０５（図１１）側に曲げられる。図１２の（ｂ）に示す変調信号が電極９０４（図１０）に入力されると、電子線は、経路９２０（図１１）に沿って位置９２１と９２２（図１１）の間を往復し、ピットが記録される。図１２の（ｃ）は、記録されたピットを示す。
【０００６】
なお、通常、記録するピット幅や、案内溝の幅を変更するときは、電子線記録装置９００は、ターンテーブル９０８（図１０）の回転線速を変更し、レジスト原盤９０７（図１）に対する単位面積あたりに照射される電子線のエネルギー量を調整する。電子線の照射量、あるいは電子線の加速電圧等は、高速に変化させることができないからである。ただし、電子線の加速電圧の設定を変更することはできる。電子線の加速電圧を変更することで、レーザ光を用いて露光した場合の、レーザ光の波長を変更するのと同じ効果が得られる。以下の表１は、電子線の加速電圧と換算したレーザ光の波長との関係を示す。表から明らかなように、加速電圧を大きくすれば、換算波長が短くなる。よって、ビームを絞ることができるため、光ディスクを高密度化できる。
【０００７】
【表１】
0003999579.tif 000002
【０００８】
【発明が解決しようとする課題】
ところが、従来の電子線記録装置では、ディスクの高密度化を実現するのは困難である。それは、従来の電子線記録装置でパターンを記録すると、図１２の（ｃ）に示すようにピットの始端と終端の幅が異なる涙形のピットになり、ピットの始端と終端の形状がそろった均一な形状のピットを得ることができないからである。これでは、光ディスクの高密度化に伴って最小ピット長がより短くなった場合に、読み出し／書き込みエラーが生じるおそれが大きい。
【０００９】
均一な形状のピットを形成できない理由は、以下のとおりである。まず電子線記録装置９００（図１０）では、電子線は遮蔽板９０５とレジスト原盤９０７との間を往復するので、経路９２０（図１１）に示す記録接線方向のみを走査することになる。そのため、レジスト原盤の回転方向に対して、ピットの記録開始時においては、電子線は順方向でレジスト原盤９０７上へ移動し、ピットの記録終了時においては、逆方向でレジスト原盤９０７上から遮蔽板９０５上へ移動する。レジスト原盤に対して照射される単位面積あたりの電子線のエネルギー量は、ピットの記録開始時（すなわちピットの始端形成時）は大きく、記録終了時（すなわちピットの終端形成時）は小さい。よって、ピットの始端の幅は広く、終端の幅は狭くなる。
【００１０】
本発明の目的は、電子線記録装置を使用した光ディスクの原盤作製工程において、ピットの始端と終端の形状が揃った、均一な形状のピットを形成することである。
【００１１】
【課題を解決するための手段】
上記課題を解決するために、本発明では、電子線を遮るための遮蔽板を、レジスト原盤の記録接線方向に並べ、それぞれの遮蔽板の端面が、レジスト原盤に照射されるときの電子線を中心にして、対向するように、かつレジスト原盤に照射されるときの電子線に接するように配置し、電子線を記録方向に対して常に一定方向に走査させることによって、ピットの始端と終端での、レジスト原盤に対する電子線の照射エネルギー量が同じとなるようにした。また、ピット間のミラー部を形成する間に、電子線をレジスト原盤に照射しないようにもとのピット記録開始位置まで戻し、次のピットを形成するときも、前のピットを形成するときと同じ向きに電子線を走査させるようにした。この構成によって、ピットの始端と終端の形状がそろった均一な信号ピットの形成が実現できる。
【００１２】
具体的には以下のとおりである。
本発明の電子線記録装置は、電子線を発する電子線源と、所定の情報信号に基づいて電圧を生成する電圧制御部と、電圧制御部が生成した前記電圧に応じて前記電子線を偏向する制御電極と、前記電子線を通過させる通過位置としてのスリットを有する遮蔽板と、レジスト原盤が載置され、レジスト原盤を回転させるターンテーブルとを有する。遮蔽板は、遮蔽位置を規定する第１の遮蔽部及び第２の遮蔽位置を有し、通過位置を挟むようにして、第１の遮蔽部と第２の遮蔽部が対向するように配置される。電圧制御部は、制御電極に印加する前記電圧を制御して、遮蔽板を含む平面上での電子線の位置が、前記第１の遮蔽部上の第１の遮蔽位置から前記通過位置へ移動する時の遮蔽板に対する第１の速度と、前記通過位置から第２の遮蔽部上の第２の遮蔽位置へ移動する時の遮蔽板に対する第２の速度とを等しくする。これにより上記目的が達成される。
【００１３】
電圧制御部は、ターンテーブルから前記レジスト原盤の回転速度に関する情報を受け取って、前記レジスト原盤の線速度を取得し、前記線速度を前記第１の速度から減算して得られる第１の相対速度と、前記線速度を前記第２の速度から減算して得られる第２の相対速度とを等しくしてもよい。
【００１４】
遮蔽板を含む平面上での電子線の位置を、第１の遮蔽位置から通過位置へ移動させる時の方向と、第２の遮蔽位置から通過位置へ移動させる時の方向とは、同じ方向であってもよい。
【００１５】
前記制御電極は、前記電子線を、第１の方向に偏向する第１の電極と、前記電子線を前記第１の方向と垂直な第２の方向に偏向する第２の電極とからなり、電圧制御部は、前記第１の電極および前記第２の電極に印加する各電圧を制御して、第２の遮蔽位置から前記電子線を、遮蔽板上の通過位置を経ることなく、第１の遮蔽位置まで、偏向させて移動させてもよい。
【００１６】
前記第１の速度と前記第２の速度は、前記レジスト原盤の記録接線方向と平行であってもよい。
【００１８】
遮蔽板は、前記第１の遮蔽部と前記第２の遮蔽部とを接続する第３の遮蔽部をさらに有し、第２の遮蔽位置から前記第１の遮蔽位置まで、前記第３の遮蔽部を介して、前記電子線を偏向させて移動させてもよい。
【００１９】
遮蔽板の前記スリットの幅は、前記電子線の直径と等しくてもよい。
また、制御電極は、前記電圧制御部が生成した電圧に応じて、遮蔽板の第１の遮蔽部、第２の遮蔽部、および、通過位置上で、電子線を任意の方向に偏向するようにしてもよい。
【００２０】
本発明の電子線記録方法は、電子線を発する電子線源と、所定の情報信号に基づいて電圧を生成する電圧制御部と、電圧制御部が生成した前記電圧に応じて前記電子線を偏向する制御電極と、前記電子線を通過させる通過位置としてのスリットを有する遮蔽板と、レジスト原盤が載置され、該レジスト原盤を回転させるターンテーブルとを有する電子線記録装置において用いられる。遮蔽板は、遮蔽位置を規定する第１の遮蔽部及び第２の遮蔽位置を有し、通過位置を挟むようにして、第１の遮蔽部と第２の遮蔽部が対向するように配置される。すなわち電子線記録方法は、前記電子線を偏向して、前記電子線を、第１の遮蔽位置から前記通過位置へ、第１の速度で移動させるステップと、前記電子線を、前記通過位置を介して前記レジスト原盤に照射するステップと、前記電子線を偏向して、前記電子線を、前記通過位置から、第２の遮蔽部上の第２の遮蔽位置へ、遮蔽板を含む平面上での電子線の位置が第１の遮蔽部上の第１の遮蔽位置から通過位置へ移動する時の遮蔽板に対する第１の速度と等しい第２の速度で移動させるステップとを有する。これにより、上記目的が達成される。
【００２１】
前記第２の速度で移動させるステップは、ターンテーブルから前記レジスト原盤の回転速度に関する情報を受け取って、前記レジスト原盤の線速度を取得するステップと、前記線速度を前記第２の速度から減算して得られる第２の相対速度を、前記線速度を前記第１の速度から減算して得られる第１の相対速度と等しくするステップとをさらに含んでいてもよい。
【００２２】
遮蔽板を含む平面上での電子線の位置を、第１の遮蔽位置から通過位置へ移動させる時の方向と、第２の遮蔽位置から通過位置へ移動させる時の方向とは、同じ方向であってもよい。
【００２３】
前記制御電極は、前記電子線を、第１の方向に偏向する第１の電極と、前記電子線を前記第１の方向と垂直な第２の方向に偏向する第２の電極とからなり、前記第１の電極および前記第２の電極に印加する各電圧を制御して、第２の遮蔽位置から前記電子線を遮蔽板上の位置を経ることなく、第１の遮蔽位置まで、偏向させて移動させるステップをさらに有していてもよい。
【００２４】
前記第１の速度と前記第２の速度は、前記レジスト原盤の記録接線方向と平行であってもよい。
【００２５】
電子線記録方法は、電圧制御部が生成した電圧に応じて、遮蔽板の第１の遮蔽部、第２の遮蔽部、および、通過位置上で、電子線を任意の方向に偏向するステップをさらに含んでもよい。
【００２６】
【発明の実施の形態】
以下、添付の図面を参照して、本発明の実施の形態を説明する。
【００２７】
（実施の形態１）
図１は、本発明による電子線記録装置１００の構成を示す概略図である。電子線記録装置（Electron Beam Recorder）は、感光剤（レジスト）が塗布された原盤上に、電子線を絞込み、照射させ、任意の信号パターンを露光記録する装置である。信号パターンが露光されたレジスト原盤を現像すると、信号ピット、あるいは記録再生時のトラッキング用の案内溝等の凹凸形状が形成されたディスク原盤を得ることができる。
【００２８】
以下、電子線記録装置１００の各構成要素を説明する。電子線記録装置１００の各構成要素は、従来と同様に、真空中に配置されている。電子線記録装置１００は、電子線を放出する電子線源１０１と、電子線源１０１から放出された電子線を加速する加速電極１０２と、加速された電子線１１２を収束させる電子線用レンズ１０３とを有する。
【００２９】
電子線記録装置１００はまた、電圧が印加されて電子線を偏向させる制御電極と、制御電極に印加する電圧を生成する電圧制御部１１１とを有する。この制御電極は、電圧が印加されて電子線の方向をレジスト原盤１０８の記録接線方向に偏向する電極１０４と、電圧が印加されて電子線の方向をレジスト原盤１０８の記録接線方向と略垂直方向に偏向する電極１０５とからなる。電圧制御部１１１は、所望の露光パターンに対応する情報信号を受け取り、電極１０４および１０５に印加する電圧を生成する。情報信号は、例えば、露光したいパターンの信号である。また、電圧制御部１１１は、後述のターンテーブル１０９の回転速度をも利用して、電子線を照射するレジスト原盤１０８の位置の接線方向の線速度を計算し、その線速度に応じた照射量等も決定する。この動作の詳細は後述する。
【００３０】
電子線記録装置１００は、さらに、遮蔽板１０６と、電子線用レンズ１０７と、レジストが塗布されたレジスト原盤１０８と、レジスト原盤１０８を回転させるターンテーブル１０９と、スライダ１１０とを有する。遮蔽板１０６は、電子線を偏向した場合に、レジスト原盤１０８への電子線の照射を遮蔽する。電極１０４および１０５と、遮蔽板１０６との距離は、約１０ｃｍである。電子線用レンズ１０７は、レジスト原盤１０８上に電子線を収束させる。電子線用レンズ１０７は、静電レンズ、電磁レンズ等が知られており、電子線を収束させる効果が得られるものであればよい。スライダ１１０は、回転するターンテーブル１０９を、レジスト原盤１０８の径方向にスライドさせる。
【００３１】
次に、電子線記録装置１００の概略的な動作を説明する。電子線源１０１から放出された電子線は、加速電極１０２に印加された電圧によってレジスト原盤１０８に向かって加速される。加速された電子線１１２は、電子線用レンズ１０３によって電極１０４および１０５の中心で収束される。電極１０４および１０５に印加された電圧に応じて、遮蔽板１０６で遮蔽されなかった電子線１１３は、電子線用レンズ１０７によって、レジスト原盤１０８上に収束される。これにより、レジスト原盤１０８が露光される。一方、電子線１１２が遮蔽板１０６で遮蔽された場合には、レジスト原盤１０８は露光されない。電子線記録装置１００は、ターンテーブル１０９を回転させつつ、スライダ１１０でレジスト原盤１０８を径方向にスライドさせ、円形のレジスト原盤１０８の内周側から外周側に向かって、あるいは外周側から内周側に向かって、所望の信号パターンをスパイラル状に露光（記録）する。
【００３２】
本発明の主な特徴は、遮蔽板１０６の構成、および、遮蔽板１０６を利用した電子線の制御動作にある。以下、これらの特徴を説明する。
【００３３】
図２は、遮蔽板１０６の形状を示す図である。遮蔽板１０６は、各辺が２〜３ｃｍ以上の矩形であり、一つの辺に開口部（スリット）２０を有する板状体である。スリット２０の幅は、約２００〜４００μｍである。図示されるように、電子線１１３の直径は、スリット２０の幅とほぼ同じ大きさである。電子線１１３は、経路２０７の矢印で示す反時計回りの１方向に沿って移動し、スリット２０を通過した場合に、レジスト原盤１０８（図１）に照射される。すなわち、スリット２０は、電子線がレジスト原盤１０８へ向けて通過する位置であるといえる。図示されるように、電子線がスリット２０を横切る方向の移動量は、約２〜３ｍｍ、スリット２０と平行な方向の移動量は、約１〜３ｍｍである。電子線の移動は、電極１０４および１０５により、電子線の偏向により実現される。
【００３４】
図３を参照して、本発明による遮蔽板１０６を用いて、電子線がレジスト原盤１０８に照射される様子を説明する。図３は、電子線源１０１（図１）側から見た、遮蔽板１０６と電子線との位置関係を示す図である。電子線を遮蔽する遮蔽板１０６は、レジスト原盤１０８に照射される電子線の位置３０２を中心にして、レジスト原盤の記録接線方向に、遮蔽部が対向するように配置される。これらの対向する遮蔽部を接続する部分も、後述のように遮蔽部として機能する。遮蔽板１０６の端面は、レジスト原盤１０８に照射されるときの位置３０２の電子線に接するように調整されている。電子線は、図２にも示した経路２７の矢印の方向に移動する。すなわち、電極１０４に電圧を印加することにより、電子線を、レジスト原盤１０８の記録接線方向に移動させることができる。また、電極１０５に電圧を印加することにより、電子線を、レジスト原盤１０８の記録接線方向と略垂直方向に移動させることができる。
【００３５】
以下、電子線がレジスト原盤１０８に照射され、レジスト原盤１０８上から退避するための手順を概略的に説明する。まず、位置３０３では電極１０４には負電圧が印加されている。この状態から、電極１０４に印加する電圧を基準電圧（例えば、０Ｖ）に変化させると、電子線は位置３０３から位置３０２まで移動する。これにより、レジスト原盤１０８へ電子線が照射され、露光が開始される。露光が終了すると、電極１０４に印加する電圧を正電圧に変化させる。すると、電子線は位置３０２から位置３０４に移動する。一方、電極１０５に正電圧が印加されると、電子線は、遮蔽板１０６の右方向へ移動する。そこで、電極１０４に正電圧を印加した状態で、電極１０５にも正電圧を印加すると、電子線は、位置３０４から図の右方向へ移動する。その後は、順次、電極１０４の印加電圧を負まで変化させ、電極１０５の印加電圧を基準電圧（例えば、０Ｖ）に戻すと、電子線は、位置３０３に戻る。
【００３６】
すなわち、電子線をレジスト原盤１０８に照射し、レジスト原盤１０８上から退避させる際には、電極１０４および電極１０５に印加する電圧の大きさおよびタイミングの調整が必要になる。これらに関する具体的な制御は、図５を参照して詳述する。なお、電子線の移動速度は、数ｎｓのオーダ（例えば１〜２ｎｓ）で、非常に高速である。制御信号が入力される速度が直接影響する。すなわち入力信号の速度により制限を受ける。位置３０４から位置３０３への反時計回りの移動速度は十分速いので、数μｍ程度の間隔のピットを連続して記録できる。
【００３７】
電子線を経路２０７に沿って移動させる際に非常に重要なのが、遮蔽板１０６からスリット２０へ、スリット２０から遮蔽板１０６へ移動する際の、電子線の移動速度である。図４の（ａ）〜（ｃ）を参照して、詳しく説明する。図４の（ａ）は、レジスト原盤１０８と、電子線の速度との関係を示すベクトル図である。いうまでもなく、速度はベクトル量であるので、「２つの速度が等しい」とは、速さと向きの双方が等しいことを表す。まず、図に示すとおり、電子線の移動速度は、露光開始時に、遮蔽板１０６からスリット２０へ移動する際の入射移動速度（ＶＩＮ）、および、露光終了時に、スリット２０から遮蔽板１０６へ移動する際の退避移動速度（ＶOUT）の２つが定義できる。これに応じて、回転するレジスト原盤１０８の線速度（Ｖd）に対する電子線の相対速度も２つ定義できる。ここでは、露光開始時の相対速度（ΔＶIN）と、露光終了時の相対速度（ΔＶOUT）である。図からも明らかなように、これらは下記の式１および式２により得ることができる。
【００３８】
（式１）
露光開始時の相対速度（ΔＶIN）＝入射移動速度（ＶＩＮ）−原盤の線速度（Ｖd）
（式２）
露光終了時の相対速度（ΔＶOUT）＝退避移動速度（ＶOUT）−原盤の線速度（Ｖd）
【００３９】
本発明の主要な特徴は、下記条件１および／または条件２を満たすように、電子線の移動速度を調整することである。すなわち
（条件１）入射移動速度（ＶＩＮ）＝退避移動速度（ＶOUT）
（条件２）露光開始時の相対速度（ΔＶIN）＝露光終了時の相対速度（ΔＶOUT）
である。
【００４０】
図４の（ｂ）は、上述の条件１に基づいて形成したピットを示す図である。内周側のピットおよび外周側のピットの各々において、始端と終端の形状が揃い、均一な形状を呈していることが理解される。よって、ピットの始端と終端の形状を揃えるという点では、条件１は有用である。
【００４１】
ただし図から明からなように、内周側と外周側とではピットの形状は異なっている。これは、いわゆるＣＡＶ（Constant Angular Velocity）方式により露光した場合である。ＣＡＶ方式では、レジスト原盤１０８の内周と外周とでは、回転速度が異なる。電子線の移動速度と、レジスト原盤１０８の回転速度（Ｖｄ）との差が大きいほど、始端および終端の形状がより丸みを帯びる。
【００４２】
ピットの形状がディスク上の位置によって異なると、ディスクのアクセスにおいて問題が生じるおそれがある。よって、条件１は、ＣＬＶ（Constant Linear Velocity）方式の方が好ましい。ＣＬＶ方式は、ディスクのどの位置においても、レジスト原盤１０８の内周と外周とでは、回転速度が同じだからである。
【００４３】
一方、図４の（ｃ）は、条件２に基づいて形成したピットを示す図である。条件２の場合も、内周側のピットおよび外周側のピットのいずれもが、始端と終端の形状が揃い、均一な形状を呈している。さらに条件２によれば、レジスト原盤１０８の位置によることなく、始端と終端の形状が等しいピットを形成できる。条件２を満たす場合は、ＣＡＶ方式およびＣＬＶ方式のいずれにより露光しても、均一な形状のピットを形成できる。なお、条件１および２の両方を満たすように電子線の移動速度を調整することにより、上述のいずれの利点も得ることができる。
【００４４】
次に、図５を参照して、電子線を遮蔽板１０６上で移動させる制御を説明する。この制御は、電圧制御部１１１（図１）により行われる。図５の（ａ）は、遮蔽板１０６における電子線の位置を、Ｘ−Ｙ座標を用いて示す図である。上述のように、電子線の位置は、電圧制御部１１１（図１）が、電極１０４および電極１０５（図１）に印加する電圧に応じて決定される。図５の（ｂ）は、電極１０４（図１）に印加される電圧のタイミングを示すタイミングチャートである。電極１０４へ印加される電圧は、電子線のＹ軸方向の動きを制御するので、以下、この電圧を「Ｙ方向制御電圧」と称する。図５の（ｃ）は、電極１０５（図１）に印加される電圧のタイミングを示すタイミングチャートである。電極１０５へ印加される電圧は、電子線のＸ軸方向の動きを制御するので、以下、この電圧を「Ｘ方向制御電圧」と称する。
【００４５】
図５の（ａ）に示されるように、時刻ｔ＝ｔ０で、電子線は初期位置Ａ（０，ｙ）に存在する。このとき、Ｙ方向制御電圧は負、Ｘ方向制御電圧は０Ｖである。ここから、時刻ｔ＝ｔ１までにかけて、電子線はスリット内の位置Ｏ（０，０）に移動する。すなわちＹ方向制御電圧は徐々に０Ｖになる。電子線はＸ方向に移動しないので、Ｘ方向制御電圧は０Ｖのままである。先に説明したように、電子線の移動速度は、非常に高速であり、制御信号が入力される速度の影響を直接受ける。ここでいう制御信号が、Ｙ方向制御電圧である。より具体的には、図５の（ｂ）において、時間区間ｔ＝［ｔ０，ｔ１］のＹ方向制御電圧のグラフの傾き（単位時間あたりの電圧変化量）が、電子線の移動速度に比例する。よって、移動速度をより早くしたい場合には、その変化の時間区間を短くすればよいし、遅くしたい場合には、長くすればよい。
【００４６】
時間区間ｔ＝［ｔ１，ｔ２］では、電子線はスリット内に存在するので、レジスト原盤１０８（図３）が露光される。ピットの長さは、このときの線速度とこの時間区間長の積で得られる。時刻ｔ＝ｔ２においてピットの露光が終了すると、時刻ｔ＝ｔ３までにかけて、電子線をＢ（０，−ｙ）の位置まで退避させる。そのため、Ｙ方向制御電圧を０Ｖから徐々に大きくする。留意すべきは、少なくとも電子線がスリットから抜け出るまで、時間区間ｔ＝［ｔ０，ｔ１］のＹ方向制御電圧のグラフの傾きと、時間区間ｔ＝［ｔ２，ｔ３］のＹ方向制御電圧のグラフの傾きとを等しくすることである。
【００４７】
これにより、上述の条件１が満足される。なお、条件２を満足するためには、レジスト原盤１０８（図１）の線速度が必要である。線速度は、電圧制御部１１１（図１）がターンテーブル１０９の回転に基づいて、回転速度情報、または、角速度情報を取得して、計算すればよい。例えば、角速度をω、記録位置の回転中心からの距離をｒとすると、線速度λは、λ＝ｒ・ωにより得られる。
【００４８】
電子線がＢ（０，−ｙ）の位置まで移動すると、次は、電子線を再びＡ（０，ｙ）の位置まで戻す処理を行う。まず、時間区間ｔ＝［ｔ３，ｔ４］までの間、Ｘ方向制御電圧が徐々に大きくなる。これにより、電子線は、図５の（ａ）のＸ軸の正方向に移動して、Ｃ（ｘ，−ｙ）の位置まで移動する。Ｙ方向制御電圧は、電子線をＹ＝−ｙの位置に固定しておくため正の所定値のままである。その後、時間区間ｔ＝［ｔ４，ｔ５］までの間、Ｙ方向制御電圧が徐々に小さくされ、時刻ｔ＝ｔ０におけるＹ方向制御電圧の値と同じ、負の値にされる。これにより、時刻ｔ＝ｔ５において、電子線はＤ（ｘ，ｙ）まで移動する。Ｘ方向制御電圧は、電子線をＸ＝ｘの位置に固定しておくため正の所定値のままである。最後に、時間区間ｔ＝［ｔ５，ｔ６］までの間、Ｘ方向制御電圧が０Ｖにいたるまで徐々に小さくさる。これにより、時刻ｔ＝ｔ６において、電子線は再びＡ（０，ｙ）に戻る。時刻ｔ＝ｔ２からｔ＝ｔ６までは、数ｎｓである。
【００４９】
以上説明したように、電圧制御部１１１（図１）が、電極１０４に印加されるＹ方向制御電圧、および、電極１０５に印加されるＸ方向制御電圧を制御することにより、遮蔽板の複数の遮蔽部、および、スリット２０上で電子線の移動を任意の方向に制御でき、レジスト原盤１０８（図１）上に所望のパターンを形成できる。
【００５０】
以下、図６〜図９を参照して、電子線記録装置１００（図１）により形成できる様々なパターンを説明する。図６〜図９においても、図５の（ｂ）および図５の（ｃ）に記載したような制御電圧の傾きが存在するが、記載の便宜上、それらは明示せず、単に垂直方向への立ち上がり、または、立ち下りのエッジとして簡略化して示す。
【００５１】
図６の（ａ）〜（ｄ）は、連続したピットパターンを露光する制御信号と、露光されたパターンとを示す図である。信号ピットパターンを露光記録するとき、まず、図６の（ａ）に示す情報信号が入力される。これは、図６の（ｄ）に示す所望のピットパターンに応じた情報である。具体的には、情報信号は、露光するタイミングでハイレベルになり、露光しないタイミング（すなわちスペースを設けるタイミング）でローレベルになる。
【００５２】
図６の（ａ）に示す情報信号から、図６の（ｂ）に示す変調信号と、図６の（ｃ）に示すウォブル信号とが形成される。変調信号は、上述したＹ方向制御電圧（図５の（ｂ））に対応し、電子線をレジスト原盤の記録接線方向に曲げる電極１０４（図１）に入力される。図５の（ｂ）を参照して説明したように、変調信号の正、０、負に応じて、電子線の位置が変化する。一方、ウォブル信号は、上述したＸ方向制御電圧（図５の（ｃ））に対応し、電子線をレジスト原盤１０８の記録接線方向に対して略垂直方向に曲げる電極１０５（図１）に入力される。図５の（ｃ）を参照して説明したように、ウォブル信号の正、０、負に応じて、電子線の位置が変化する。
【００５３】
図６の（ｂ）に示す変調信号、および、図６の（ｃ）に示すウォブル信号が入力されると、電子線は、反時計回りの環状経路２０７（図３）に沿って走査される。レジスト原盤１０８を照射する部分は、ここでは、レジスト原盤１０８が進む向きに対して同じ向きに走査され、記録ピットの始端、終端でのレジスト原盤１０８に対する照射エネルギー量が一定に保たれる。また、電子線をレジスト原盤１０８に照射しない時間に電子線は反時計回りに遮蔽板１０６上を進み、次のピットを記録するときも同じ走査向きでレジスト原盤に照射される。
【００５４】
本発明の発明者は、電子線レジストを約１００ｎｍの厚みで塗布したシリコンウェハをレジスト原盤１０８（図１）として、記録線速が３ｍ／ｓ、および、レジスト原盤１０８に照射される電子線量が約４０μＣ／ｍとなる条件で、ランダム信号ピットを記録した。記録後、現像を行い形成されたピット形状を電子顕微鏡を用いて観察し、その結果、ピットの始端、終端でピット幅がほぼ同じ幅となっていることを確認した。
【００５５】
続いて図７〜９を参照して、電子線記録装置１００（図１）により形成できる別のパターンを説明する。なお、図７〜９には、図６の（ａ）に相当する信号は省略して記載している。
【００５６】
図７の（ａ）〜（ｃ）は、ウォブル・グルーブを露光する制御信号と、露光されたパターンとを示す図である。ウォブル・グルーブは、正弦波状に左右にグルーブがうねっているパターンである。ウォブル・グルーブは、連続したグルーブとして露光されるので、途中で露光を中断する必要がない。すなわち、電子線は、露光開始時と、露光終了時を除き、図５の（ａ）で示すＹ軸方向へ移動することはない。よって、図７の（ａ）に示す変調信号は、露光開始から終了まで０Ｖのままである。一方、ウォブルしたパターンを露光するためには、電子線がＯ（０，０）（図５の（ａ））の位置に存在するときに、電子線をＸ軸方向に振動させる必要がある。そのため、図７の（ｂ）に示すウォブル信号は、所望の露光パターンに応じた振動パターンを呈している。なお、露光開始時と、露光終了時には、上述の条件１または条件２を満足するように制御される。
【００５７】
図８の（ａ）〜（ｃ）は、ウォブル・グルーブと、ピットアドレスを露光する制御信号と、露光されたパターンとを示す図である。このパターンは、ＤＶＤ−ＲＡＭ等において採用されている、グルーブとアドレスピットを複合して形成されている。よって、制御信号および露光パターンは、図６の（ｂ）、（ｃ）および図７の（ａ）、（ｂ）を組み合わせて得ることができる。アドレスピットは、グルーブの中心に対して半トラックずつ左右にウォブルして配置される。図ではピットは左右に各１つであるが、複数存在していてもよい。各ウォブルグルーブパターン、および、各ピットアドレスパターンは、それぞれ条件１または条件２を満足するので、各々の終端と始端の幅はほぼ等しい。
【００５８】
図９の（ａ）〜（ｃ）は、ウォブル・グルーブと、ランドプリピットアドレスを露光する制御信号と、露光されたパターンとを示す図である。このパターンは、ＣＤ−Ｒ／ＲＷ等のように、グルーブの途中で、かつ、隣接するグルーブ間のランドに、切り欠き状のアドレスピットを有する。ウォブル・グルーブについては、図７の（ａ）〜（ｃ）を参照して説明したと同様の制御信号を利用できる。アドレスピット部分については、図９の（ｂ）に示すように、ウォブル信号の電圧をより大きく変化させればよい。
【００５９】
以上、本発明の実施の形態を説明した。上述の説明では、レジスト原盤が進む向きに対して同じ向きに電子線を走査したが、逆向きに電子線を走査しても同じ効果が得られる。すなわち、ピットの始端、終端でのピット幅がほぼ等しくなる。なお、レジスト原盤が進む向きに対して同じ向きに電子線を走査した方が、ピットの始端、終端を形成する部分でレジスト原盤に対して電子線が照射される距離が短くなり、より綺麗なピット形状が得られる。
【００６０】
また、本明細書では、遮蔽板１０６（図２）は直線的な端面をもつとして説明した。しかし、電子線とほぼ同じ形を持つ円形の端面を有する遮蔽板でも同様の効果が得られる。また、遮蔽板１０６上の電子線の移動経路２０７（図３）は、矩形状であるとして説明したが、三角形状、環状等の他の形状の経路であってもよい。
【００６１】
【発明の効果】
本発明によれば、電子線をレジスト原盤の記録接線方向に沿って、常に一定向きに走査させることによって、ピットの始端、終端におけるレジスト原盤に対する単位面積あたりの電子線の照射エネルギー量が一定となり、ピットの始端と終端の形状がそろった均一な信号ピットパターンを形成することができる。よって、光ディスクを高密度化した場合、例えば、最小ピット長をより短くし、ピット間間隔を小さくした場合でも、読み取り等のエラーを減少できる。
【図面の簡単な説明】
【図１】  本発明による電子線記録装置の構成を示す概略図である。
【図２】  本発明による遮蔽板の形状を示す図である。
【図３】  電子線源側から見た、遮蔽板と電子線との位置関係を示す図である。
【図４】  （ａ）は、レジスト原盤と、電子線の速度との関係を示すベクトル図である。（ｂ）は、入射および退避移動速度を等しくした条件で形成したピットを示す図である。（ｃ）は、露光開始時と終了時の相対速度を等しくした条件で形成したピットを示す図である。
【図５】  （ａ）は、遮蔽板における電子線の位置を、Ｘ−Ｙ座標を用いて示す図である。（ｂ）は、電極１０４（図１）に印加される電圧のタイミングを示すタイミングチャートである。（ｃ）は、電極１０５（図１）に印加される電圧のタイミングを示すタイミングチャートである。
【図６】  （ａ）〜（ｄ）は、連続したピットパターンを露光する制御信号と、露光されたパターンとを示す図である。
【図７】  （ａ）〜（ｃ）は、ウォブル・グルーブを露光する制御信号と、露光されたパターンとを示す図である。
【図８】  （ａ）〜（ｃ）は、ウォブル・グルーブと、ピットアドレスを露光する制御信号と、露光されたパターンとを示す図である。
【図９】  （ａ）〜（ｃ）は、ウォブル・グルーブと、ランドプリピットアドレスを露光する制御信号と、露光されたパターンとを示す図である。
【図１０】  従来の電子線記録装置の構成を示す概略図である。
【図１１】  電子線源側から見た、遮蔽板と電子線との位置関係を示す図である。
【図１２】  （ａ）〜（ｃ）は、所定の情報信号から、所望のピットパターンを記録する具体例を説明する図である。
【符号の説明】
２０  スリット
１０１  電子線源
１０２  加速電極
１０３、１０７  電子線用レンズ
１０４  電子線をレジスト原盤の記録接線方向に曲げる電極
１０５  電子線をレジスト原盤の記録接線方向の略垂直方向に曲げる電極
１０６  遮蔽板
１０８  レジスト原盤
１０９  ターンテーブル
１１０  スライダ
１１１  電圧制御部
２０７  電子線の走査方向
３０２  レジスト原盤に照射されているときの電子線の位置
３０３  電極にマイナス電圧が入力されたときの電子線の位置
３０４  電極にプラス電圧が入力されたときの電子線の位置
３０６  レジスト原盤の回転方向
【図１】
0003999579.tif 000003
【図２】
0003999579.tif 000004
【図３】
0003999579.tif 000005
【図４】
0003999579.tif 000006
【図５】
0003999579.tif 000007
【図６】
0003999579.tif 000008
【図７】
0003999579.tif 000009
【図８】
0003999579.tif 000010
【図９】
0003999579.tif 000011
【図１０】
0003999579.tif 000012
【図１１】
0003999579.tif 000013
【図１２】
0003999579.tif 000014